(57)【要約】【課題】障子の高さを調整した場合でも地震等による障子の上方への移動を規制し、障子が枠体から外れることを防止する建具とする。【解決手段】枠体２を取り付けた障子３の上方への移動を規制する規制部材６を、枠体２の上枠２ａに取り付け、規制部材６は第１の取付状態と第２の取付状態とに取り付け換えでき、第２の取付状態の規制部材６の高さは第１の取付状態の規制部材６の高さよりも高くなり、障子３の高さを調整した場合には規制部材６を第１の取付状態又は第２の取付状態に取り付け換えすることで、地震等による障子３の上方への移動を規制し、障子３が枠体２から外れることを防止する。【選択図】図４
2015224472.tif 000002
【特許請求の範囲】
【請求項１】
枠体と障子を備え、前記枠体に取り付けた前記障子を上方に移動し、前記障子下部を面外方向に移動し、前記障子を下方に移動することで、その障子を前記枠体から取り外しできる建具であって、
前記枠体の上枠に、障子の上方への移動を規制する規制部材を、高さの異なる複数の取付状態に取り付け換えできるように取り付けたことを特徴とする建具。
【請求項２】
前記規制部材は、前記障子上部と対向した規制部を有し、前記規制部に前記障子上部が接することで前記障子の上方への移動を規制し、
前記規制部材は、第１の取付状態と、第２の取付状態とに取り付け換えでき、
前記規制部材は、前記第２の取付状態の規制部材の規制部の高さが、前記第１の取付状態の規制部材の規制部の高さよりも高い請求項１記載の建具。
【請求項３】
前記枠体の上枠は、ねじ穴を有した被取付部及び支持部嵌合孔を有した被支持部を備え、
前記規制部材は、前記ねじ穴に螺合した取付用ねじで上枠に取り付けられ、
前記規制部材は、前記被支持部に接する第１支持部と、前記第１支持部よりも上方に突出した第２支持部とを備え、
前記規制部材は、第１の取付状態で取り付けることで前記第２支持部が前記被支持部に接し、第２の取付状態で取り付けることで前記第２支持部が前記支持部嵌合孔に嵌合し、かつ前記第１支持部が前記被支持部に接するようにした請求項２記載の建具。
【請求項４】
前記規制部材は、前記第２支持部が前記被支持部に接する第１姿勢と、前記第２支持部が前記支持部嵌合孔に嵌合して前記第１支持部が前記被支持部に接する第２姿勢とに回転し、
前記規制部材は、前記第１姿勢として上枠に取り付けることで前記第１の取付状態となり、前記第２姿勢として上枠に取り付けることで前記第２の取付状態となる請求項３記載の建具。
【請求項５】
前記規制部材は、前記第２支持部が前記被支持部に接する第１位置と、前記第２支持部が前記支持部嵌合孔に嵌合して前記第１支持部が前記被支持部に接する第２位置とに、上枠長さ方向に移動し、
前記規制部材は、前記上枠に、前記第１位置として取り付けることで、前記第１の取付状態となり、
前記規制部材は、前記上枠に、前記第１位置として取り付けることで、前記第２の取付状態となる請求項３記載の建具。
【発明の詳細な説明】
【技術分野】
【０００１】
本発明は、引き違い窓、引違い戸、片引き窓、片引き戸などの建具に関する。
【背景技術】
【０００２】
建具である引き違い窓が特許文献１に開示されている。
この引き違い窓は、枠体と室内側障子、室外側障子を備え、各障子は枠体に、枠体の面内方向に移動自在に取り付けられる。
そして、枠体に取り付けた障子は、障子を上方に移動し、障子下部を面外方向に移動し、その障子を斜め下方に移動することで障子を枠体から取り外しできる。
このようであるから、地震などで障子が上方に移動して枠体から外れることがある。
そこで、引き違い窓においては、枠体の上枠にブロックを取り付け、地震などで障子が上方へ移動したときに障子上部がブロックに接し、障子の上方への移動を規制することで、障子が枠体から外れないようにしている。
【先行技術文献】
【特許文献】
【０００３】
【特許文献１】実開昭５４−５３３７号公報
【発明の概要】
【発明が解決しようとする課題】
【０００４】
引き違い窓においては、各障子を枠体に取り付けた状態で、障子の高さを調整することがある。
このように、障子の高さを調整した場合には、障子上部とブロックとの間の上下方向の隙間が大きくなり、障子の上方への移動を規制できなくなったり、障子上部がブロックに接して障子の移動の障害となることがある。
【０００５】
本発明は、前述の課題を解決するためになされたもので、その目的は、枠体に取り付けた障子の高さを調整した場合でも地震等による障子の上方への移動を規制し、障子が枠体から外れることを防止できるようにした建具とすることである。
【課題を解決するための手段】
【０００６】
本発明は、枠体と障子を備え、前記枠体に取り付けた前記障子を上方に移動し、前記障子下部を面外方向に移動し、前記障子を下方に移動することで、その障子を前記枠体から取り外しできる建具であって、
前記枠体の上枠に、障子の上方への移動を規制する規制部材を、高さの異なる複数の取付状態に取り付け換えできるように取り付けたことを特徴とする建具である。
【０００７】
本発明の建具においては、前記規制部材は、前記障子上部と対向した規制部を有し、前記規制部に前記障子上部が接することで前記障子の上方への移動を規制し、
前記規制部材は、第１の取付状態と、第２の取付状態とに取り付け換えでき、
前記規制部材は、前記第２の取付状態の規制部材の規制部の高さが、前記第１の取付状態の規制部材の規制部の高さよりも高いものにできる。
【０００８】
本発明の建具においては、前記枠体の上枠は、ねじ穴を有した被取付部及び支持部嵌合孔を有した被支持部を備え、
前記規制部材は、前記ねじ穴に螺合した取付用ねじで上枠に取り付けられ、
前記規制部材は、前記被支持部に接する第１支持部と、前記第１支持部よりも上方に突出した第２支持部とを備え、
前記規制部材は、第１の取付状態で取り付けることで前記第２支持部が前記被支持部に接し、第２の取付状態で取り付けることで前記第２支持部が前記支持部嵌合孔に嵌合し、かつ前記第１支持部が前記被支持部に接するものにできる。
【０００９】
本発明の建具においては、前記規制部材は、前記第２支持部が前記被支持部に接する第１姿勢と、前記第２支持部が前記支持部嵌合孔に嵌合して前記第１支持部が前記被支持部に接する第２姿勢とに回転し、
前記規制部材は、前記第１姿勢として上枠に取り付けることで前記第１の取付状態となり、前記第２姿勢として上枠に取り付けることで前記第２の取付状態となるものにできる。
【００１０】
本発明の建具においては、前記規制部材は、前記第２支持部が前記被支持部に接する第１位置と、前記第２支持部が前記支持部嵌合孔に嵌合して前記第１支持部が前記被支持部に接する第２位置とに、上枠長さ方向に移動し、
前記規制部材は、前記上枠に、前記第１位置として取り付けることで、前記第１の取付状態となり、
前記規制部材は、前記上枠に、前記第１位置として取り付けることで、前記第２の取付状態となるものにできる。
【発明の効果】
【００１１】
本発明の建具によれば、枠体に取り付けた障子の高さを調整したときに、規制部材の取付状態を換え、規制部材の高さを障子の高さに応じた高さとすることができるので、地震等による障子の上方に移動を規制部材で規制し、障子が枠体から外れることを防止できる。
また、規制部材を取り付け換えすればよく、規制部材の高さを変えるために特別な部品が不要である。
【図面の簡単な説明】
【００１２】
【図１】本発明の実施の形態を示す建具の内観図である。
【図２】図１の規制部材の高さが低い状態の縦断面図である。
【図３】図１の規制部材の高さが高い状態の縦断面図である。
【図４】図２の上枠部分の拡大断面図である。
【図５】図４を下から見た見上図である。
【図６】規制部材の斜視図である。
【図７】図３の上枠部分の拡大断面図である。
【図８】図７を下から見た見上図である。
【図９】プレートに加熱発泡材を取り付けた状態の断面図である。
【図１０】第２の実施形態を示す規制部材の高さが低い状態の上枠部分の断面図である。
【図１１】図１０を下から見た見上図である。
【図１２】第２の実施形態を示す規制部材の高さが高い状態の上枠部分の断面図である。
【図１３】図１２を下から見た見上図である。
【図１４】第３の実施形態を示す規制部材の高さが低い状態の上枠部分の断面図である。
【図１５】図１４を下から見た見上図である。
【図１６】第３の実施形態を示す規制部材の高さが高い状態の上枠部分の断面図である。
【図１７】図１６を下から見た見上図である。
【図１８】第４の実施形態を示す規制部材の高さが低い状態の上枠部分の断面図である。
【図１９】図１８を下から見た見上図である。
【図２０】第４の実施形態を示す規制部材の高さが高い状態の上枠部分の断面図である。
【図２１】図２０を下から見た見上図である。
【図２２】第５の実施形態を示す規制部材の高さが低い状態の上枠部分の断面図である。
【図２３】図２２を下から見た見上図である。
【図２４】第５の実施形態を示す規制部材の高さが高い状態の上枠部分の断面図である。
【図２５】図２４を下から見た見上図である。
【発明を実施するための形態】
【００１３】
図１は建具の内観図で、建具１は枠体２と、枠体２に取り付けた障子３を備えている。
枠体２は、上枠２ａと下枠２ｂと左右の縦枠２ｃ，２ｃを方形状に連結している。
障子３は、上枠２ａ、下枠２ｂの長さ方向、つまり枠体２の面内方向に開き位置と閉じ位置とに渡って移動する。
実施の形態では、一側障子である室内側障子３−１と他側障子である室外側障子３−２を有している。室内側障子３−１は、枠体２の面外方向の一側である室内側寄りに取り付けてある。
室外側障子３−２は、枠体２の面外方向の他側である室外側寄りに取り付けてある。
これにより、建具１は引き違い窓としてある。
【００１４】
室内側障子３−１、室外側障子３−２は、上框３ａ、下框３ｂと召合せ框３ｃと戸当り框３ｄを方形状に連結した框組体３ｅと、框組体３ｅ内に装着したガラスなどのパネル体３ｆを備えている。
室内側障子３−１が閉じ位置であると、戸当り框３ｄが一方の縦枠２ｃに当接する。
室内側障子３−１が開き位置であると、戸当り框３ｄが一方の縦枠２ｃと離れ、召合せ框３ｃが他方の縦枠２ｃに接近する。
室外側障子３−２が閉じ位置であると、戸当り框３ｄが他方の縦枠２ｃに当接する。
室外側障子３−２が開き位置であると、召合せ框３ｃが一方の縦枠２ｃに接近する。
室内側障子３−１と室外側障子３−２が閉じ位置であると、両方の障子の召合せ框３ｃ，３ｃが面外方向に重なり合う。
【００１５】
図２に示すように、上枠２ａは、上枠本体２０と、上枠本体２０に設けた上ガイドレール２１を有している。上ガイドレール２１は上枠本体２０よりも面内方向内側、つまり下方に突出している。実施形態では、上枠本体２０の面外方向の一側である室内側寄りに室内側上ガイドレール２１ａを有し、上枠本体２０の面外方向の他側である室外側寄りに室外側上ガイドレール２１ｂを有している。
下枠２ｂは、下枠本体３０と、下枠本体３０に設けた下ガイドレール３１を有している。下ガイドレール３１は下枠本体３０よりも面内方向内側、つまり上方に突出している。実施形態では、下枠本体３０の面外方向の一側である室内側寄りに室内側下ガイドレール３１ａを有し、下枠本体３０の面外方向の他側である室外側寄りに室外側下ガイドレール３１ｂを有している。
【００１６】
障子３は枠体２に上下けんどん式に取り付けできる。
つまり、障子３の上部である上框３ａに上向き凹部４を有し、上向き凹部４内に上ガイドレール２１が挿入可能である。
障子３の下部である下框３ｂに戸車装置５が取り付けてある。
そして、障子３を垂直姿勢に対して斜めの姿勢とし、障子３を斜め上方に移動することで、上向き凹部４を上ガイドレール２１に挿入し、下框３ｂの最下部を下ガイドレール３１よりも上方に位置する。
次いで、障子３の下部を面外方向に移動し、障子３を垂直姿勢として戸車装置５の戸車５０を下ガイドレール３１の真上に位置する。
障子３を下方に移動して戸車装置５の戸車５０を下ガイドレール３１に接して障子３を枠体２に取り付ける。
【００１７】
前述とは反対の動作をすることで、枠体２から障子３を取り外しする。つまり、枠体２に取り付けた障子３は、障子３を上方に持ち上げ、障子３の下部を面外方向に移動した状態で、障子３を斜め下方に移動することで上下けんどん式に取り外しできる。
【００１８】
実施形態では、室内側障子３−１の上框３ａに室内側上向き凹部４ａを有し、室外側障子３−２の上框３ａに室外側上向き凹部４ｂを有する。
室内側上向き凹部４ａに室内側上ガイドレール２１ａが挿入し、室外側上向き凹部４ｂに室外側上ガイドレール２１ｂが挿入する。
戸車装置５は、装置本体５１に戸車５０を上下方向に移動可能に取り付け、調整ねじ５２を回転することで、戸車５０が装置本体５１に対して上下に移動する。なお、室内側障子３−１に取り付けた戸車装置５（５ａ）と室外側障子３−２に取り付けた戸車装置５（５ｂ）は同一であるから、符号を同一として説明する。
室内側障子３−１の下框３ｂに取り付けた戸車装置５ａの戸車５０が室内側下ガイドレール３１ａに接している。室外側障子３−２の下框３ｂに取り付けた戸車装置５ｂの戸車５０が室外側下ガイドレール３１ｂに接している。
これにより、室内側障子３−１、室外側障子３−２は枠体２に上下けんどん式に取り付け、取り外しできる。
【００１９】
このようであるから、地震時に障子３が枠体２に対して上方に移動して浮き上がり、障子３の下部が下ガイドレール３１よりも上方に位置となることで、障子３が枠体２から外れることがある。
【００２０】
図１に示すように、規制部材６を枠体２の上枠２ａに取り付ける。規制部材６は、枠体２に取り付けた障子３の上方への移動を規制する。これにより、障子３は地震時に障子３の下部が下ガイドレール３１よりも上方位置となるまで上方に移動することが規制されるので、障子３が枠体２から外れることがない。つまり、規制部材６は障子３の脱落を防止する障子脱落防止部材である。
【００２１】
実施形態では、第１規制部材６ａと第２規制部材６ｂを備えている。
第１規制部材６ａは、第１障子３−１の上方への移動を規制する。第１規制部材６ａは上枠２ａの一方の縦枠２ｃ寄りに取り付けてある。そして、第１規制部材６ａは、第１障子３−１が閉じ位置のときに上框３ａの長さ方向中間と対向する。
第２規制部材６ｂは、第２障子３−２の上方への移動を規制する。第２規制部材６ｂは上枠２ａの他方の縦枠２ｃ寄りに取り付けてある。
そして、第２規制部材６ｂは第２障子３−２が閉じ位置のときに上框３ａの長さ方向中間と対向する。
【００２２】
規制部材６（第１規制部材６ａ、第２規制部材６ｂ）は、図２に示すように上枠本体２０の室内側上ガイドレール２１ａと室外側上ガイドレール２１ｂとの間の面外方向中間部である被取付部２０ａに取り付けてある。
室内側障子３−１の上框３ａの面外方向の室外側部が規制部材６の面外方向の室内側部と対向する。
室外側障子３−２の上框３ａの面外方向の室内側部が規制部材６の面外方向の室外側部と対向する。
【００２３】
規制部材６は規制部６０を有している。規制部６０は上框３ａの上部と対向した面状で、規制部６０に上框３ａの上部が接することにより障子３の上方への移動を規制して障子３が枠体２から外れることを防止する。
規制部材６は、規制部材６自体を仮想の垂直軸の回りを仮想の水平面に沿って回転又は、上枠２ａの長さ方向に移動可能に上枠本体２０の被取付部２０ａに取り付けてある。
そして、規制部材６を回転又は長さ方向移動して上枠本体２０の被取付部２０ａに取り付け換えすることで、規制部材６の規制部６０の上下方向の位置を変更できる。つまり、規制部材６は高さの異なる複数の取付状態に取り付け換えできる。
実施形態では、規制部材６を、その規制部６０と上枠本体２０の被取付部２０ａとの間の寸法が図２に示す第１の寸法Ｈ１となる第１の取付状態と、図３に示す第２の寸法Ｈ２（Ｈ１＞Ｈ２）となる第２の取付状態に回転して取り付け換えできるようにしてある。
【００２４】
このようであるから、戸車装置５の戸車５０を戸車本体５１に対して上下方向に移動して戸車調整することで障子３の高さを調整した際に、障子３の高さに応じて規制部材６を回転して取り付け換えすることで、規制部６０の上下方向の位置を障子３の高さに適した位置とし、地震などで障子３が枠体２から外れることを防止する。
しかも、障子３の上部が規制部材６の規制部６０に干渉することもない。
さらに、規制部材６を回転して上枠本体２０の被取付部２０ａに取り付け換えすればよく、規制部材６の高さを変えるために特別な部品が不要である。
【００２５】
実施形態では、図２に示すように戸車本体５１に対する戸車５０の下方突出寸法が小さく、障子３の高さが低い場合には、規制部材６を図２に示す第１の取付状態として、上枠本体２０の被取付部２０ａと規制部材６の規制部６０との間の寸法を第１の寸法Ｈ１とする。つまり規制部材６の高さを低くする。
これにより、障子３の上框３ａの上部と規制部材６の規制部６０との間の第１の隙間Ｓ１を障子３の下部と下ガイドレール３１との上下方向の重なり寸法である規定の値よりも小さくし、障子３の上方への移動を規制する。
【００２６】
図３に示すように、戸車５０が戸車本体５１に対する下方突出寸法が大きく、障子３の高さが高い場合には、規制部材６を図３に示す第２の取付状態として、上枠本体２０の被取付部２０ａと規制部材６の規制部６０との間の寸法を第２の寸法Ｈ２とする。つまり、規制部材６の高さを高くする。
これにより、障子３の上框３ａの上部と規制部材６の規制部６０との間に第２の隙間Ｓ２を形成し、高い障子３の上框３ａが規制部材６と干渉しないようにする。
第２の隙間Ｓ２は規定の値よりも小さく、障子３の上方への移動を規制する。
【００２７】
規制部材６を取り付ける場合は、障子３を上枠２ａの長さ方向に移動し、障子３を規制部材６を取り付ける位置と長さ方向にずれた位置とする。
実施形態では、第１障子３−１を開き位置とし、第２障子３−２を閉じ位置とすることで、第１規制部材６ａを取り付ける。
第２障子３−２を開き位置とし、第１障子３−１を閉じ位置とすることで、第２規制部材６ｂを取り付ける。
【００２８】
規制部材６を説明する。第１規制部材６ａと第２規制部材６ｂは同一であるので、規制部材６として説明する。なお、上枠２ａに取り付けた状態で、上下方向に向かう方向を上下方向とし、水平方向に向かう方向を水平方向として説明する。
図４〜図６に示すように、規制部材６は、その上下方向の下に規制部６０を有している。実施形態では規制部材６の下面が規制部６０で、規制部６０は水平方向に向かう面状である。
規制部材６は、規制部６０よりも上下方向の上に第１支持部６１と第２支持部６２を有している。第２支持部６２は第１支持部６１よりも上方に突出している。第２支持部６２の水平面方向の大きさは第１支持部６１の水平面方向の大きさよりも小さい。
【００２９】
実施形態では、規制部材６の上面が第１支持部６１で、第１支持部６１は水平方向に向かい、規制部６０と同一大きさの面状である。実施形態では第１支持部６１は後述するプレート７の形状に合わせた段付き形状で、第１支持部６１は下側支持面６１ａと、下側支持面６１ａより上方である上側支持面６１ｂを有している。
【００３０】
第２支持部６２は第１支持部６１（上側支持面６１ｂ）に設けてある。
第２支持部６２は、水平方向に直交する２つの方向の大きさが異なる。実施形態では第２支持部６２は水平方向に向かう形状が長円形状で、第２支持部６２は対向した一対の直線状端面６２ａ，６２ａと、対向した一対の円弧状端面６２ｂ，６２ｂを有している。
そして、規制部材６を、仮想の垂直軸の回りを仮想の水平面に沿って９０°回転することで、図６（ａ）に示すように第２支持部６２が上枠２ａの面外方向に向かう長円形状の第１姿勢と、図６（ｂ）に示すように第２支持部６２が上枠２ａの面内方向に向かう長円形状の第２姿勢とすることができる。
【００３１】
規制部材６は、上下方向に貫通した取付用孔６３を有している。
実施形態では、規制部６０と第２支持部６２とに貫通して取付用孔６３を有している。
つまり、図４〜図６に示す規制部材６は規制部６０である下面が正方形状の板状で、下面の２つの対角線の交差する部分に取付用孔６３を有している。
そして、規制部材６は取付用孔６３の中心を回転中心として第１姿勢と第２姿勢とに９０°回転する。
【００３２】
図４に示すように、ねじ穴２２が上枠本体２０の被取付部２０ａに形成してある。ねじ穴２２は、規制部材６を取り付け位置に配置したときにねじ穴２２と規制部材６の取付用孔６３が合致するように形成してある。
取付用孔６３に挿入した取付用ねじ６４がねじ穴２２に螺合する。
【００３３】
プレート７が上枠本体２０の室内側上ガイドレール２１ａと室外側上ガイドレール２１ｂとの間、つまり被取付部２０ａの下方に配置してある。
プレート７は、下部片７０と、下部片７０の面外方向室外側端に上方に向けて設けた立上り片７１と、立上り片７１の上端部に面外方向の室外側に向けて設けた上部片７２とで上下方向に折曲し面外方向に向かうクランク形状である。プレート７はアルミ合金製である。
【００３４】
プレート７は、上部片７２が被取付部２０ａの下方で、被取付部２０ａと上下方向に離隔して上枠本体２０に配置され、プレート７は上枠本体２０の長さ方向に連続して配置してある。
プレート７の上部片７２が上枠２ａにおける規制部材６の被支持部である。
支持部嵌合孔７３が、プレート７の上部片７２に形成してある。支持部嵌合孔７３は、規制部材６を回転したときに規制部材６の第２支持部６２が嵌合又は嵌合しないようにしてある。
【００３５】
実施形態では、支持部嵌合孔７３は面内方向に向かい、規制部材６の第２支持部６２と同じ大きさの長円形状である。
そして、規制部材６を、図６（ａ）に示すように第２支持部６２が面外方向に長円形状である第１姿勢として上枠２ａの上枠本体２０に配置すると、図４と図５に示すように第２支持部６２がプレート７の支持部嵌合孔７３に嵌合せずに、第２支持部６２がプレート７の上部片７２（被支持部）に接する。
取付用ねじ６４を、規制部材６の取付用孔６３に挿入し、取付用ねじ６４を上枠本体２０の被取付部２０ａのねじ穴２２に螺合する。
これにより、規制部材６は図２、図４に示すように第１の取付状態で上枠２ａに取り付けられる。
【００３６】
規制部材６を、図６（ｂ）に示すように第２支持部６２が面内方向に長円形状である第２姿勢として上枠２ａの上枠本体２０に配置すると、図７、図８に示すように、規制部材６の第２支持部６２がプレート７の支持部嵌合孔７３に嵌合し、第１支持部６１がプレート７の上部片７２（被支持部）に接する。
取付用ねじ６４を、規制部材６の取付用孔６３に挿入し、取付用ねじ６４を上枠本体２０の被取付部２０ａのねじ穴２２に螺合する。
これにより、規制部材６は図３、図７に示すように第２の取付状態で上枠２ａに取り付けられる。
【００３７】
図９に示すように、上枠２ａに設けたプレート７には、加熱されることで発泡する加熱発泡材７４が取り付けてある。実施形態では加熱発泡材７４が下部片７０の上下面と上部片７２の上下面に貼り付けてある。
このようにすることで、火災時に加熱発泡材７４が発泡して上枠２と障子３との間の隙間を閉塞することができるから、防火性能を担保できる。
【００３８】
次に、第２の実施形態を説明する。
図１０〜図１３に示すように、規制部材６の第１支持部６１に複数の突起６５を設け、突起６５の突出端面を第２支持部６２とする。
実施形態では、下側支持面６１ａと上側支持面６１ｂに第１突起６５ａと第２突起６５ｂが、取付用孔６３を境とした両側位置に設けてある。
プレート７には、複数の支持部嵌合孔７３が形成してある。支持部嵌合孔７３は突起６５が嵌合する。
実施形態では、プレート７の下部片７０に第１支持部嵌合孔７３ａが形成され、上部片７２に第２支持部嵌合孔７３ｂが形成してある。
そして、規制部材６は、図１０、図１１に示すように第１突起６５ａ、第２突起６５ｂがプレート７の第１支持部嵌合孔７３ａ、第２支持部嵌合孔７３ｂと嵌合しない第１姿勢と、図１２、図１３に示すように第１突起６５ａ、第２突起６５ｂがプレート７の第１支持部嵌合孔７３ａ、第２支持部嵌合孔７３ｂと嵌合する第２姿勢とに９０°回転する。
【００３９】
このようであるから、規制部材６を第１姿勢として上枠２ａに取り付けることで、図１０、図１１に示すように第１突起６５ａ、第２突起６５ｂがプレート７の下部片７０、上部片７２に接するから、規制部材６を、規制部６０の位置が低い第１の取付状態とすることができる。
【００４０】
規制部材６を第２姿勢として上枠２ａに取り付けることで、図１２、図１３に示すように第１突起６５ａが第１支持部嵌合孔７３ａに嵌合し、第２突起６５ｂが第２支持部嵌合孔７３ｂに嵌合して第１支持部６１がプレート７に接するから、規制部材６を、規制部６０の位置が高い第２の取付状態とすることができる。
【００４１】
前述の第１・第２の実施形態は、規制部材６が正方形状の板状であるから、規制部材６を第１の取付状態と第２の取付状態とに取り付け換えする場合には、規制部材６を室内側上ガイドレール２１ａと室外側上ガイドレール２１ｂとの間から下方に引き出し、規制部材６を９０°回転して室内側上ガイドレール２１ａと室外側上ガイドレール２１ｂとの間に押し入れて取り付けることになる。
【００４２】
第３の実施形態は、図１４〜図１７に示すように、規制部材６を室内側上ガイドレール２１ａと室外側上ガイドレール２１ｂとの間で９０°回転できるようにしてある。
つまり、規制部材６を円形とし、その円形の中心に取付用孔６３を形成する。
このようにすることで、取付用ねじ６４を弛めることによって規制部材６を室内側上ガイドレール２１ａと室外側上ガイドレール２１ｂとの間で、規制部材６を図１４、図１５に示す第１姿勢と図１６と図１７に示す第２姿勢とに回転することができる。
【００４３】
したがって、規制部材６を図１４、図１５に示す第１の取付状態と図１６、図１７に示す第２の取付状態とに取り付け換えする作業がやり易い。
【００４４】
次に、第４の実施形態を説明する。
前述の各実施形態は、規制部材６を第１姿勢と第２姿勢とに回転したが、この実施の形態は図１８〜図２１に示すように規制部材６を上枠２ａの長さ方向に離隔した第１の位置と第２の位置とに渡って移動するようにしてある。
つまり、図１８と図１９に示すように、上枠２ａの上枠本体２０の被取付部２０ａに第１ねじ穴２２ａと第２ねじ穴２２ｂを、上枠２ａの長さ方向に離隔して有する。
これにより、取付用ねじ６４を第１ねじ穴２２ａに螺合することで、規制部材６を第１の位置に取り付けできる。
取付用ねじ６４を第２ねじ穴２２ｂに螺合することで、規制部材６を第２の位置に取り付けできる。
【００４５】
プレート７の支持部嵌合孔７３は第２ねじ穴２２ｂと対向して形成され、支持部嵌合孔７３は第１ねじ穴２２ａと上枠２ａの長さ方向に離隔している。
規制部材６は、第２支持部６２と取付用孔６３が次のような位置関係となっている。
つまり、図１９に示すように、取付用孔６３が第１ねじ穴２２ａと合致したときは、第２支持部６２がプレート７の支持部嵌合孔７３と合致しない。
図２１に示すように、取付用孔６３が第２ねじ穴２２ｂと合致したときは、第２支持部６２がプレート７の支持部嵌合孔７３と合致する。
【００４６】
これにより、図１８、図１９に示すように、取付用ねじ６４を第１ねじ穴２２ａに螺合することで、規制部材６を第１の位置に取り付けたときは、第２支持部６２はプレート７に接し、規制部材６は第１の取付状態である。
図２０、図２１に示すように、取付用ねじ６４を第２ねじ穴２２ｂに螺合することで、規制部材６を第２の位置に取り付けたときは、第２支持部６２はプレート７の支持部嵌合孔７３に嵌合し、規制部材６は第２の取付状態である。
【００４７】
このようにすれば、取付用ねじ６４を弛め、締める作業と規制部材６を上枠２ａの長さ方向に変位する作業とで、規制部材６を第１の取付状態、第２の取付状態とすることができるから、その作業がやり易い。
【００４８】
前述の各実施形態は、上枠２ａにプレート７を設け、プレート７に支持部嵌合孔７３を形成したが、上枠２ａにプレート７を設けずに、上枠２ａに支持部嵌合孔を形成することで、上枠２ａに被取付部２０ａと被支持部を設けるようにしても良い。
例えば、図２２〜図２５に示すように、上枠２ａの上枠本体２０の被取付部２０ａに、第１ねじ穴２２ａ、第２ねじ穴２２ｂ、第３ねじ穴２２ｃと支持部嵌合孔２３を形成する。
規制部材６は、第１取付用孔６３ａと第２取付用孔６３ｂを有する。規制部材６は第１姿勢と第２姿勢とに９０°回転する。
【００４９】
規制部材６は第１姿勢であると図２２、図２３に示すように、第１取付用孔６３ａと第１ねじ穴２２ａが合致し、第２取付用孔６３ｂと第２ねじ穴２２ｂが合致する。第２支持部６２は支持部嵌合孔２３と合致せずに嵌合しない。
第１姿勢の規制部材６を９０°回転して図２４、図２５に示す第２姿勢としたときは、第１取付用孔６３ａが第２ねじ穴２２ｂと合致し、第２取付用孔６３ｂが第３ねじ穴２２ｃと合致する。第２支持部６２は支持部嵌合孔２３と合致し、嵌合する。
【００５０】
このようであるから、図２２、図２３に示すように、規制部材６を第１姿勢として上枠２ａに配置し、第１取付ねじ６４ａを第１取付用孔６３ａから第１ねじ穴２２ａに螺合すると共に、第２取付ねじ６４ｂを第２取付用孔６３ｂから第２ねじ穴２２ｂに螺合することで、規制部材６は第１の取付状態で上枠２ａに取り付けられる。
これにより、第２支持部６２が上枠本体２０の被取付部２０ａに接し、規制部材６は規制部６０の位置が低くなる。つまり、被取付部２０ａは被支持部を兼用することになる。
【００５１】
図２４、図２５に示すように、規制部材６を第２姿勢として上枠２ａに配置し、第１取付ねじ６４ａを第１取付用孔６３ａから第２ねじ穴２２ｂに螺合すると共に、第２取付ねじ６４ｂを第２取付用孔６３ｂから第３ねじ穴２２ｃに螺合することで、規制部材６は第２の取付状態で上枠２ａに取り付けられる。
これにより、第２支持部６２が支持部嵌合孔２３に嵌合し、規制部材６は規制部６０の位置が高くなる。
【００５２】
図示は省略するが、第２の実施形態、第３の実施形態、第４の実施形態においても、第５の実施形態と同様にプレートを用いずに規制部材６を上枠２ａで支持するようにできる。
【００５３】
各実施形態では、引違い窓としたが、引違い戸、片引き窓、片引き戸などとすることができる。
【符号の説明】
【００５４】
２…枠体、２ａ…上枠、３…障子、４…上向き凹部、５…戸車装置、６…規制部材、７…プレート（被支持部）、２０ａ…被取付部、２１…ねじ穴、２３…支持部嵌合孔、６０…規制部、６１…第１支持部、６２…第２支持部、６３…取付用孔、６４…取付用ねじ、７３…支持部嵌合孔。
【図１】
2015224472.tif 000003
【図２】
2015224472.tif 000004
【図３】
2015224472.tif 000005
【図４】
2015224472.tif 000006
【図５】
2015224472.tif 000007
【図６】
2015224472.tif 000008
【図７】
2015224472.tif 000009
【図８】
2015224472.tif 000010
【図９】
2015224472.tif 000011
【図１０】
2015224472.tif 000012
【図１１】
2015224472.tif 000013
【図１２】
2015224472.tif 000014
【図１３】
2015224472.tif 000015
【図１４】
2015224472.tif 000016
【図１５】
2015224472.tif 000017
【図１６】
2015224472.tif 000018
【図１７】
2015224472.tif 000019
【図１８】
2015224472.tif 000020
【図１９】
2015224472.tif 000021
【図２０】
2015224472.tif 000022
【図２１】
2015224472.tif 000023
【図２２】
2015224472.tif 000024
【図２３】
2015224472.tif 000025
【図２４】
2015224472.tif 000026
【図２５】
2015224472.tif 000027